(57)【特許請求の範囲】
【請求項１】
柔軟なプラスチックフィルムをベースとする柔軟な支持基材１を備えた不正操作の明示付きのセキュリティラベルまたはセキュリティ接着テープにおいて、支持基材の一方の表面に下記の層、すなわち
ａ）表面構造を有する塗料層２
ｂ）半透明の金属層もしくは屈折率の高い層３
ｃ）文字、記号、シンボル、線、ギローシュ、数字、または刻印の形の部分的な剥離塗料層４
ｄ）１つまたは複数の光学特性を有する塗料層５
ｅ）自己接着コーティング６
が施されており、
剥離塗料層４でコーティングされていない領域では、すべての層の相互の付着性および層６の保護すべき対象物に対する付着性が、層５の層６に対する付着性より大きく、またはすべての層の相互の付着性が、層６の保護すべき対象物９に対する付着性より大きく、かつ剥離塗料層４でコーティングされている領域では、すべての層の相互の付着性および層６の保護すべき対象物９に対する付着性が、層３の層４に対する付着性または層４の層５に対する付着性より大きく、
前記塗料層２が支持基材１上に施され、前記層３が前記塗料層２上に施され、
前記剥離塗料層４が、塩素化ポリオレフィンもしくはポリアクリレートコポリマーを含み、シクロオレフィンコポリマーベースの、ニトロセルロースベースの、アクリレートベースの、ポリ塩化ビニルベースの、エチレンアクリレートコポリマーベースの、もしくはスチレンアクリレートベースの塗料組成を含む
ことを特徴とするセキュリティラベルまたはセキュリティ接着テープ。
【請求項２】
支持基材１が、透明なプラスチックフィルムから成ることを特徴とする請求項１に記載のセキュリティラベルまたはセキュリティ接着テープ。
【請求項３】
支持基材１のもう一方の表面に印刷プライマー層８が施されていることを特徴とする請求項１または２に記載のセキュリティラベルまたはセキュリティ接着テープ。
【請求項４】
支持基材１のもう一方の表面に剥離塗料層が施されていることを特徴とする請求項１または２に記載のセキュリティラベルまたはセキュリティ接着テープ。
【請求項５】
支持基材１と表面構造を有する塗料層２の間に付着剤層７が置かれていることを特徴とする請求項１〜４のいずれか一つに記載のセキュリティラベルまたはセキュリティ接着テープ。
【請求項６】
支持基材１と表面構造を有する塗料層２の間にリリース層が置かれていることを特徴とする請求項１〜４のいずれか一つに記載のセキュリティラベルまたはセキュリティ接着テープ。
【請求項７】
前記光学特性を有する塗料層５が、多色印刷において、色グラデーション層として、および／または効果染料もしくはセキュリティ染料または効果顔料もしくはセキュリティ顔料を含む層として、実施されていることを特徴とする請求項１〜６のいずれか一つに記載のセキュリティラベルまたはセキュリティ接着テープ。
【請求項８】
不正操作の明示の誘発後、保護すべき対象物９上ではポジ状の、および剥がされた支持基材１上ではネガ状の文字、記号、シンボル、線、ギローシュ、数字、または刻印が、またはその逆が認識できるようになることを特徴とする請求項１〜７のいずれか一つに記載のセキュリティラベルまたはセキュリティ接着テープ。
【請求項９】
層３が、Ａｌ、Ｃｕ、Ｆｅ、Ａｇ、Ａｕ、Ｃｒ、Ｎｉ、Ｚｎ、Ｓｎ、Ｐｔ、Ｔｉ、Ｐｄから、または前記金属の合金から成る半透明の金属層であることを特徴とする請求項１〜８のいずれか一つに記載のセキュリティラベルまたはセキュリティ接着テープ。
【請求項１０】
層３が、金属化合物から成るＨＲＩ層であることを特徴とする請求項１〜８のいずれか一つに記載のセキュリティラベルまたはセキュリティ接着テープ。
【請求項１１】
層３が、ＨＲＩ塗料層であることを特徴とする請求項１〜８のいずれか一つに記載のセキュリティラベルまたはセキュリティ接着テープ。
【請求項１２】
層２が、表面構造を有するＵＶ塗料層であることを特徴とする請求項１〜１１のいずれか一つに記載のセキュリティラベルまたはセキュリティ接着テープ。
【請求項１３】
層２が、熱エンボス塗料層であることを特徴とする請求項１〜１２のいずれか一つに記載のセキュリティラベルまたはセキュリティ接着テープ。
【請求項１４】
ラベルまたは接着テープの印刷プライマー層８または支持基材１のコーティングされていない表面に印刷が施されていることを特徴とする請求項１〜１２のいずれか一つに記載のセキュリティラベルまたはセキュリティ接着テープ。
【請求項１５】
塗料層２が、ホログラム、回折構造、または回折格子の形の表面構造を有することを特徴とする請求項１〜１４のいずれか一つに記載のセキュリティラベルまたはセキュリティ接着テープ。
【請求項１６】
有色の背景を有するホログラムという光学的印象を実現し、金属的に反射する性質を有さないことを特徴とする請求項１５に記載のセキュリティラベルまたはセキュリティ接着テープ。
【請求項１７】
塗料層２の表面構造がエンボス加工される、請求項１〜１６のいずれか一つに記載のセキュリティラベルまたはセキュリティ接着テープの製造方法。
【発明の詳細な説明】
【技術分野】
【０００１】
本発明は、光学活性セキュリティ標識および光学標識を有する不正操作の明示付きのセキュリティラベルまたはセキュリティ接着テープに関する。
【背景技術】
【０００２】
光学活性標識とは、ここでは回折構造、回折格子、表面レリーフ、ホログラム、キネグラム、およびその類似物のことである。
【０００３】
本発明の意味におけるセキュリティラベルまたはセキュリティ接着テープは２つの役割を果たす。すなわち一方では、ラベルまたは接着テープが光学活性セキュリティ標識を備えることにより、製品の信頼性または包装の不可侵性を保証しなければならない。この目的のために、製品保護の分野で十分定着しており、すなわち高度の市場受容性、再認識性、および安全性を提供しているホログラムを用いるのが好ましい。ただしもう一方では、ラベルまたは接着テープを剥がすという操作の試み、つまり権限のない試みを明らかに認識できなければならない。後者の措置は、このようなラベルまたは接着テープによって保護された製品が、本物であり、元の包装のままであることを、ユーザに対し信用に足る確約ができることを保証する。
【０００４】
現在すでに製品保護において、また有価書類用のセキュリティ標識として用いられている典型的なホログラムは、一般的に、観察角度が変化するとホログラム構造での光回折により虹色の移り変わりが生じる金属光沢の基本外観を有している。しかしながらこの回折効果は常に非常に似ており、すべてのこのような製品には金属光沢が共通している。したがって、従来の効果とはホログラムのモチーフだけでなく、地色もしくは異なる光沢によっても区別される新規の光学的に可変の効果が必要とされている。
【０００５】
ＫＲ１００７９５２５（特許文献１）からは、ホログラムフィルムならびにその製造方法が知られている。構成は、支持基材、リリース層、エンボス層（ホログラム層）、部分的な金属層、マスキング層、印刷層、および接着層から成る。印刷層と接着層は、異なる蛍光を発する標識を有している。この構成の場合、不正操作の明示は不可能である。
【０００６】
ＥＰ−Ａ１９７２６７４（特許文献２）からは、保護すべき対象物または保護すべき包装からラベルを剥がすと、隠された光学要素が見えるようになる不正操作の明示付きのセキュリティラベルまたはセキュリティ接着テープが知られている。
【先行技術文献】
【特許文献】
【０００７】
【特許文献１】ＫＲ１００７９５２５
【特許文献２】ＥＰ−Ａ１９７２６７４
【特許文献３】ＥＰ−Ａ１３１０３８１
【発明の概要】
【発明が解決しようとする課題】
【０００８】
したがって本発明の課題は、光学活性セキュリティ要素も、光学的に認識可能な不正操作の明示も有しており、光学的な全体的印象において従来の金属光沢の光学活性構造とは異なっているセキュリティラベルまたはセキュリティ接着テープを提供することであった。
【課題を解決するための手段】
【０００９】
したがって本発明の対象は、柔軟なプラスチックフィルムをベースとする柔軟な支持基材を備えた不正操作の明示付きのセキュリティラベルまたはセキュリティ接着テープにおいて、支持基材の一方の表面に下記の層、すなわち
ａ）エンボス加工された塗料層
ｂ）半透明の金属層もしくは屈折率の高い層
ｃ）文字、記号、シンボル、線、ギローシュ、数字、または刻印の形の部分的な剥離塗料層
ｄ）光学特性を有する１つまたは複数の塗料層
ｅ）自己接着コーティング
が施されており、
剥離塗料層ｃ）でコーティングされていない領域では、
すべての層の相互の付着性および層ｅ）の保護すべき対象物に対する付着性が、層ｄ）の層ｅ）に対する付着性より大きく
または
すべての層の相互の付着性が層ｅ）の保護すべき対象物に対する付着性より大きく、
かつ
剥離塗料層ｃ）でコーティングされている領域では、
すべての層の相互の付着性および層ｅ）の保護すべき対象物に対する付着性が、層ｃ）の層ｂ）に対する付着性または層ｃ）の層ｄ）に対する付着性より大きい。
【００１０】
支持基材としては、例えば支持フィルム、好ましくは例えばＰＩ、ＰＰ、ＭＯＰＰ、ＰＥ、ＰＰＳ、ＰＥＥＫ、ＰＥＫ、ＰＥＩ、ＰＳＵ、ＰＡＥＫ、ＬＣＰ、ＰＥＮ、ＰＢＴ、ＰＥＴ、ＰＡ、ＰＣ、ＣＯＣ、ＰＯＭ、ＡＢＳ、ＰＶＣ、テフロンのようなフッ素ポリマー、およびその類似物から成る柔軟なプラスチックフィルムが考慮される。支持フィルムの厚さは、５〜７００μｍ、好ましくは５〜２００μｍ、特に好ましくは５〜１００μｍであることが好ましい。
【００１１】
第１のステップでは支持基材の一方の表面に塗料層ａ）を施し、同じ作業工程内または後続のプロセス内で塗料層ａ）をエンボス加工する。塗料層ａ）の支持基材に対する付着性は、ラベルをライナーから剥がす際または接着テープを繰り出す際にも、層複合体の不正操作の明示を誘発させる際にも、この境界面に沿って剥離することのない程に良くなければならない。
【００１２】
塗料層ａ）の支持基材に対する付着性が、さらなる措置なしでは十分でない場合は、層ａ）を塗布する前に、塗料層ａ）の支持基材に対する付着性を改善する付着剤層を支持基材上に施すことができる。その代わりに、相応に化学的または物理的に前処理された支持基材を用いることができる。
【００１３】
ただし、例えばラベルがいわゆる転写式ラベルとして実施される場合は、層複合体が層ａ）と支持基材の境界面で剥離することが必然的に所望され得る。本発明のこの実施形態では、層ａ）と支持基材の付着性は、層ａ）〜層ｇ）の相互の付着性より小さい。接着層によりラベルを対象物上に施した後、不正操作の明示を誘発させずに支持基材を剥がすことができる。この場合の不正操作の明示は、例えばいわゆるＴｅｓａテストにより、対象物に残っている層構成上に接着テープまたはさらなるラベルを接着させて、および再び剥がすことで行われる。その際、不正操作の明示が誘発され、ここでも請求項１に基づく層の一部が剥がされる。
【００１４】
付着性を低下させるため、支持基材に例えばリリース層を備えることができる。エンボス加工された塗料層ａ）が、さらなる措置なしでも支持基材に対して付着性が弱い場合は、転写式ラベルとしての用途のためにリリース層を必要とはしない。
【００１５】
リリース層としては、特に、既知の付着性の弱い例えばメタクリレートベースの塗料組成が考慮される。さらに、非常に薄く塗布されたオイル層、ポリアミドワックス層、ポリエチレンワックス層、シリコーンワックス層、またはフッ素ポリマーワックス層も、リリース層として使用することができる。続いて上述のように塗料層ａ）が施される。
【００１６】
塗料層ａ）は、支持基材とは反対の表面に表面構造、例えば表面レリーフ、ホログラム、回折構造、または回折格子を有している。この構造は、既知の熱エンボス法またはＵＶエンボス法により、エンボス機上に存在する構造の型押しによって生成することができる。熱エンボス法を使用する場合、塗料層ａ）は熱可塑性の塗料層であり、ＵＶエンボス法を使用する場合、塗料層ａ）は放射線硬化性である。このようなエンボス法は、当業者に十分に知られているか、もしくはＥＰ−Ａ１３１０３８１（特許文献３）で開示されており、これを以ってこの特許文献の内容を全体的に本出願に取り込む。
【００１７】
施された塗料層ａ）の層厚は、最終生産物および基材厚さへの要求に応じて変えることができ、一般的には０．５〜５０μｍの間、好ましくは２〜１０μｍの間、特に好ましくは２〜５μｍの間である。
【００１８】
塗料層ａ）は、例えば噴霧、流し込み、カーテンコーティング、スリットノズルコーティング、浸漬、ドクターブレードコーティングのようなコーティング方法、または印刷方法、例えば凹版印刷、フレキソ印刷、オフセット印刷、スクリーン印刷、またはデジタル印刷により、全面的または部分的に施される。
【００１９】
続いて塗料層ａ）上に、半透明の金属層または屈折率の高い層ｂ）が施される。
【００２０】
半透明の金属層ｂ）の光学密度は、約０．１〜１．３、好ましくは０．１〜０．８である。このような光学密度の場合、この層は、さらにその後ろにある層を観察者が認識するのにまだ十分透明なことが保証されている。
【００２１】
半透明の金属層としては、例えば金属または合金から成る層が考慮される。金属層としては、Ａｌ、Ｃｕ、Ｆｅ、Ａｇ、Ａｕ、Ｃｒ、Ｎｉ、Ｚｎ、Ｓｎ、Ｐｔ、Ｔｉ、Ｐｄ、およびその類似物から成る層が適している。適切な合金は、例えばＣｕ−Ａｌ合金、Ｃｕ−Ｚｎ合金、およびその類似物である。
【００２２】
金属層は、好ましくはＰＶＤプロセスまたはＣＶＤプロセス（スパッタリング、蒸着、気相成長）によって施される。
【００２３】
その代わりに層ｂ）をＨＲＩ（ｈｉｇｈ  ｒｅｆｒａｃｔｉｖｅ  ｉｎｄｅｘ）層として実施することができる。このＨＲＩ層は、好ましくは屈折率の高い塗料層から、または金属化合物でできた層から成ることができる。適切な金属化合物は、例えば金属の酸化物または硫化物であり、特にＴｉＯ２、酸化Ｃｒ、ＺｎＳ、酸化Ｃｕ、酸化インジウムスズ、酸化アンチモンスズ、酸化アンチモン亜鉛、ＦＴＯ、ＺｎＯ、Ａｌ２Ｏ３、または酸化ケイ素である。
【００２４】
屈折率の高い塗料層は、既知の印刷方法またはコーティング方法（上記参照）により施されるのが好ましく、金属化合物から成るＨＲＩ層は、ＰＶＤプロセスまたはＣＶＤプロセス（スパッタリング、蒸着）により施されるのが好ましい。
【００２５】
続いて剥離塗料層ｃ）が部分的に、例えば文字、記号、シンボル、線、ギローシュ、数字、または刻印の形で施される。
【００２６】
剥離塗料としては、好ましくは既知の付着性の弱い、適切な溶剤中の例えばシクロオレフィンコポリマーベースの、ニトロセルロースベースの、アクリレートベースの、ポリ塩化ビニルベースの、エチレンアクリレートコポリマーベースの、またはスチレンアクリレートベースの塗料組成が考慮される。この場合、付着性を調整するため、好ましくは塩素化ポリオレフィンが添加される。組成中の塩素化ポリオレフィンの割合は、ベースポリマーに対して０〜１３０重量％であることができる。
【００２７】
その代わりに、添加剤、例えばポリアクリレートコポリマー（例えばＢＹＫ−３９４（登録商標）の商標名でＢＹＫ−Ｃｈｅｍｉｅ  ＧｍｂＨから入手可能）により付着性を低下させる任意の塗料系を使用することができる。
【００２８】
さらに、非常に薄く塗布されたポリアミドワックス層、ポリエチレンワックス層、フッ素ポリマーワックス層、またはシリコーンコーティングも使用することができる。
【００２９】
剥離塗料層は、場合によっては蛍光顔料およびその類似物のようなセキュリティ顔料を含むことができる。
【００３０】
剥離塗料層ｃ）の付着性は、不正操作の明示を誘発させる際に剥離塗料コーティングｃ）が層ｂ）または層ｄ）から剥がれ、ただしこの位置で後に残ったフィルム構成が、不正操作の明示の構造で残っているように調整される。いずれにせよ剥離塗料層ｃ）の層ｂ）に対する付着性は、半透明の層またはＨＲＩ層ｂ）のエンボス塗料層ａ）に対する付着性より小さい。
【００３１】
剥離塗料層ｃ）は、印刷方法、例えば凹版印刷、フレキソ印刷、オフセット印刷、スクリーン印刷、またはデジタル印刷により部分的に施される。
【００３２】
この剥離塗料層上には、光学特性を有する１つまたは複数の塗料層ｄ）が全面的または部分的に施される。
【００３３】
層ｄ）の光学特性、特に色は、染料もしくは顔料によって調整することができる。顔料としては、すべての既知の顔料、例えば、二酸化チタン、硫化亜鉛、カオリン、酸化インジウムスズ、酸化アンチモンスズ、酸化フッ素スズ、アルミニウム、酸化クロム、および酸化ケイ素のような無機ベースの顔料、またはフタロシアニンブルー、ｉ−インドリジンイエロー、ジオキサジンバイオレット、およびその類似物のような有機ベースの顔料、ならびに有色のおよび／もしくはカプセル化された顔料を、化学的に、物理的に、もしくは反応により乾燥する結合剤系中で使用することができる。染料としては、例えば１，１−または１，２−クロム−コバルト錯体が考慮される。
【００３４】
さらに、効果染料もしくはセキュリティ染料または効果顔料もしくはセキュリティ顔料を使用することができ、例えば、可視領域、ＵＶ領域、またはＩＲ領域において蛍光もしくは燐光を発するルミネセンス発光性の染料もしくは顔料、ならびに液晶、真珠光沢顔料、ブロンズ、および／もしくは多層変色顔料のような効果顔料、およびサーモクロミック染料もしくはサーモクロミック顔料を使用することができる。これらは単独でまたはすべての可能な組合せにおいて使用することができる。可視および不可視の着色顔料と、効果顔料もしくはセキュリティ顔料との組合せも考えられる。
【００３５】
ただしこの１つまたは複数の層ｄ）は、色のグラデーションを規定通りに有することもでき、または多色印刷において、部分的もしくは全面的に、相並んでまたは上下に、一部でまたは完全に重なり合うように、実施することもできる。
【００３６】
１つまたは複数の有色層ｄ）の施しは、任意の方法により、ただし好ましくは印刷方法により行われる。
【００３７】
有色層ｄ）の厚さは、塗料の所望の塗覆力と使用する印刷方法との関係から明らかになる。
【００３８】
続いて自己接着コーティングｅ）が施されている。自己接着コーティングにより、セキュリティラベルまたはセキュリティ接着テープが、保護すべき対象物または保護すべき包装上に接着される。
【００３９】
ラベル内での付着関係が部分的に異なることにより、保護すべき対象物からラベルもしくは接着テープを再び剥がそうとすると、塗料層ｄ）が寸断される。塗料層ｄ）の一部は保護すべき対象物上に残り、塗料層ｄ）の第２の部分は支持基材と共に対象物から剥がされる。両方の部分は互いに相補的であり、つまり剥がされた支持基材上ではポジ状構造が、および対象物ではネガ状構造が認識できるか、またはその逆である。
【００４０】
信頼性の高い機能を保証するため、いかなる場合にも下記の制約を守らなければならない。
【００４１】
ラベルのメーカーが予測し得ない、不正操作の明示を誘発させる際の特別な事情に基づき、上記の制約の異なる組合せを１つの同じラベル内で生じさせることができる。ただし最初は、（剥離塗料ｃ）ありおよびなしの）両方の重要な領域で、好ましくは上記の両方の場合のそれぞれ一方が生じるようにラベルの設計が選択される。
【００４２】
・剥離塗料層ｃ）でコーティングされている領域では、最小の付着性が層ｂ）と層ｃ）の間または層ｃ）と層ｄ）の間で生じる。自己接着コーティングｅ）と保護すべき対象物の間の付着性を含むほかのすべての付着性はより大きい。
【００４３】
ラベルのメーカーが予測し得ない、操作証明を誘発させる際の特別な事情に基づき、上記の制約の異なる組合せを１つの同じラベル内で生じさせることができる。ただし最初は、（剥離塗料ｃ）ありおよびなしの）両方の重要な領域で、好ましくは上記の両方の場合のそれぞれ一方が生じるようにラベルの設計が選択される。
【００４４】
場合によっては、支持基材の構成とは反対の表面にさらに、事後のラベルまたは接着テープの印刷を容易もしくは可能にする印刷プライマーを施すことができる。
【００４５】
これに関し、この印刷は、例えば顧客固有または製品固有の独自のデータから成ることができ、しかし任意の模様、記号、シンボル、およびその類似物から成ることもできる。
【００４６】
【図１】接着された状態のラベルの構成断面図である。
【図２】本発明による異なる誘発メカニズムを有する不正操作の明示の誘発後の状態を同じく断面で示す図である。
【図３】本発明による異なる誘発メカニズムを有する不正操作の明示の誘発後の状態を同じく断面で示す図である。
【図４】本発明によるセキュリティラベルの上面図である。
【図５】不正操作の明示を一部誘発させた同一のセキュリティラベルを示す図である。
【００４７】
図１〜図５に本発明による実施形態を示している。
【図面の簡単な説明】
【００４８】
【図１】接着された状態のラベルの構成断面図である。
【図２】本発明による異なる誘発メカニズムを有する操作証明の誘発後の状態を同じく断面で示す図である。
【図３】本発明による異なる誘発メカニズムを有する操作証明の誘発後の状態を同じく断面で示す図である。
【図４】本発明によるセキュリティラベルの上面図である。
【図５】操作証明を一部誘発させた同一のセキュリティラベルを示す図である。
【発明を実施するための形態】
【００４９】
図１では、本発明によるラベルが対象物９上に接着されている。このラベルは支持基材１から成り、この支持基材は一方の表面が印刷プライマー８でコーティングされており、続いて可視モチーフ１６で印刷されている。反対側の表面には最初に付着剤層７、エンボス加工された塗料層２、および半透明の金属層または屈折率の高い層３が存在している。
【００５０】
図２および図３では、ラベルを剥がすことにより不正操作の明示が誘発されている。光学特性を有する層５の一部が保護すべき対象物９上に残っており、それも正確に、剥離塗料層４が施されている領域で残っていることがはっきり認識できる。剥離塗料層４のない領域では、光学特性を有する層５が、剥がされた支持基材１およびその上に施されたホログラム上に留まっている。層５のこの「寸断」は、観察者に対し、文字、記号、シンボル、線、ギローシュ、数字、または刻印の形の光学的な不正操作の明示をもたらす。
【００５１】
図２と図３では、個々の層の相互の付着関係の形成の詳細が異なっている。領域１０〜領域１３は、不正操作の明示を誘発させた際に光学的効果を可視化させる本発明による個々の層の付着関係を明確に示している。
【００５２】
図２および図３では、ラベルを剥がすことにより操作証明が誘発されている。光学特性を有する層５の一部が保護すべき対象物９上に残っており、それも正確に、剥離塗料層４が施されている領域で残っていることがはっきり認識できる。剥離塗料層４のない領域では、光学特性を有する層５が、剥がされた支持基材１およびその上に施されたホログラム上に留まっている。層５のこの「寸断」は、観察者に対し、文字、記号、シンボル、線、ギローシュ、数字、または刻印の形の光学的な操作証明をもたらす。
【００５３】
図２と図３では、個々の層の相互の付着関係の形成の詳細が異なっている。領域１０〜領域１３は、操作証明を誘発させた際に光学的効果を可視化させる本発明による個々の層の付着関係を明確に示している。
【００５４】
領域１０では、複合体が半透明の金属層またはＨＲＩ層３と剥離塗料層４の間で剥離しており、これは層３と層４の間の付着性が、ほかのすべての層の相互の付着性および自己接着コーティング６の対象物９に対する付着性より低いことを意味している。つまり光学特性を有する層５は、領域１０では自己接着コーティング６と剥離塗料層４と一緒に、保護すべき対象物９上に残っている。
【００５５】
領域１１では、複合体が光学特性を有する層５と自己接着コーティング６の間で剥離しており、すなわち層５と層６の間の付着性が、ほかのすべての層の相互の付着性および自己接着コーティング６の対象物９に対する付着性より小さい。つまり光学特性を有する層５は、領域１１ではエンボス塗料層２および半透明の金属層もしくはＨＲＩ層３と一緒に、剥がされた支持基材１上に残っている。
【００５６】
上記の付着関係は、必ずしも図２および図３に示したように組み合わせなくてもよく、領域１０と領域１３の状態の組合せまたは領域１１と領域１２の状態の組合せで生じてもよい。本発明によるラベルの形成に応じて、１つの特定の組合せの付着性が生じるのが好ましいが、不正操作の明示が個々に活性化するような、つまり支持基材が剥がされ、さらに領域１０〜領域１３のすべての示した剥離状態が１つの同じラベルで同時に生じるような、予測し得ないやり方に基づくことができる。
【００５７】
領域１１および領域１３では、不正操作の明示の誘発後に自己接着コーティング６がむきだしになり、つまり対象物上に層が残っている対象物の表面に手を触れた場合に、領域１１での残留物１５が接着性であることがはっきり認識できる。領域１３では、自己接着コーティング６が、ラベルの剥がされた部分１４上に留まっており、したがって領域１３の剥がされた部分１４は接着性である。つまり不正操作の明示の誘発後、ラベルまたは接着テープを再び対象物９に固定することができ、ただし光学特性を有する層５の両方の部分が再び互いにぴったり合わさるほど正確にはラベルまたは接着テープの位置決めができなくなっているので、不正操作の明示は常に視認可能である。
【００５８】
上記の付着関係は、必ずしも図２および図３に示したように組み合わせなくてもよく、領域１０と領域１３の状態の組合せまたは領域１１と領域１２の状態の組合せで生じてもよい。本発明によるラベルの形成に応じて、１つの特定の組合せの付着性が生じるのが好ましいが、操作証明が個々に活性化するような、つまり支持基材が剥がされ、さらに領域１０〜領域１３のすべての示した剥離状態が１つの同じラベルで同時に生じるような、予測し得ないやり方に基づくことができる。
【００５９】
図５は、本発明によるセキュリティラベルを、一部が剥がれた状態で示しており、つまり不正操作の明示の一部が活性化された場合を示している。保護すべき対象物上にはラベルの部分１５が残り、この部分１５は光学特性を有する層５における凹部を、ネガ状の記号１８（「ＶＯＩＤ」）の形で有している。光学特性を有する層５のうち、ラベルの剥がされた部分１４上に残っている部分は、ポジ状の記号１９の形で存在している。
【００６０】
図４は、本発明によるセキュリティラベル１７を上面図で示しており、このラベルの見えている側には、顧客固有の印刷１６が施されており、操作前の、接着されている状態である。
【００６１】
図５は、本発明によるセキュリティラベルを、一部が剥がれた状態で示しており、つまり操作証明の一部が活性化された場合を示している。保護すべき対象物上にはラベルの部分１５が残り、この部分１５は光学特性を有する層５における凹部を、ネガ状の記号１８（「ＶＯＩＤ」）の形で有している。光学特性を有する層５のうち、ラベルの剥がされた部分１４上に残っている部分は、ポジ状の記号１９の形で存在している。
【００６２】
構成例１（印刷可能なセキュリティラベル）
【００６３】
【表１】
0005901027.tif 000002
構成例２（セキュリティラベル）
【００６４】
【表２】
0005901027.tif 000003
構成例３（セキュリティ接着テープ）
【００６５】
【表３】
0005901027.tif 000004
【符号の説明】
【００６６】
１  支持基材
２  光学活性構造（例えばホログラム）を有する塗料層
３  半透明の金属層またはＨＲＩ層
４  部分的な剥離塗料層
５  光学特性を有する層
６  自己接着コーティング
７  （任意選択の）付着剤層
８  （任意選択の）印刷プライマー層
９  上にラベルまたは接着テープが施された対象物
１０、１１、１２、１３  様々な付着関係を有する領域
１４  ラベルのうち支持基材１と共に剥がれた部分
１５  ラベルのうち保護すべき対象物９上に残った部分
１６  顧客固有の印刷
１７  本発明によるセキュリティラベル
１８  光学特性を有する層５のうち保護すべき対象物９に残っており、記号の形のネガ状の凹部を有する部分
１９  光学特性を有する層５のうちポジ状の記号の形で支持基材１と共に剥がれた部分
【図１】
0005901027.tif 000005
【図２】
0005901027.tif 000006
【図３】
0005901027.tif 000007
【図４】
0005901027.tif 000008
【図５】
0005901027.tif 000009